(57)【要約】【課題】安全かつ構造が簡単で、大気塵の除去性能を高め、長期間目詰まりしない集塵装置を提供する。【解決手段】上流側に空気をイオン化するイオン化手段７と、下流側にフィルタ部８とを備え、一様に混在する帯電繊維１７と導電繊維１８とを通風方向に対して綿状に積層して構成される綿状濾過体１６を、底部もしくは上部に格子状導電体１５を備えたフィルタケース１４に収め、導電繊維１８と格子状導電体１５とを接触導通させることでフィルタ部８は構成され、格子状導電体１５を通じて導電繊維１８をアースに接続する電気集塵フィルタユニットを得る。【選択図】図３
2015089535.tif 000002
【特許請求の範囲】
【請求項１】
上流側に空気をイオン化するイオン化手段と、下流側にフィルタ部とを備え、一様に混在する帯電繊維と導電繊維とを通風方向に対して綿状に積層して構成される綿状濾過体を、底部もしくは上部に格子状導電体を備えたフィルタケースに収め、導電繊維と格子状導電体とを接触導通させることでフィルタ部は構成され、格子状導電体を通じて導電繊維をアースに接続する電気集塵フィルタユニット。
【請求項２】
綿状濾過体に挿し込んだ串状導電体をアースに接続し、串状導電体を通じて導電繊維をアースに接続する請求項１記載の電気集塵フィルタユニット。
【請求項３】
格子状導電体に向かって隣接した２つの溶融紡糸ノズルから帯電繊維と導電繊維をそれぞれ吹き出すことで作成した綿状濾過体を用いる請求項１または２記載の電気集塵フィルタユニット。
【発明の詳細な説明】
【技術分野】
【０００１】
本発明は、空気中の大気塵を除去する空気清浄用フィルタに関するものである。
【背景技術】
【０００２】
（従来技術１）
大気塵を除去して空気を清浄にする空気清浄装置として、図１０に示すような２段式電気集塵機が従来から一般的に知られている。以下、その２段式電気集塵機について説明する。
【０００３】
従来の２段式電気集塵機は図１０に示すように上流側から順に帯電部１０１、集塵部１０４で構成されている。
【０００４】
帯電部１０１は線状の放電電極１０２とそれを挟むように設けられた帯電部アース電極板１０３とで構成される。放電電極１０２には高圧電源１０７によって高電圧が印加され、帯電部アース電極板１０３にはアースが接続されて０Ｖとなっており、両者の間でコロナ放電が発生する。
【０００５】
集塵部１０４は高圧電極板１０５および集塵部アース電極板１０６とで構成される。高圧電極板１０５と集塵部アース電極板１０６は一定の間隔を開けて空間を設けながら交互に積層されている。高圧電極板１０５には高圧電源１０７によって高電圧が印加され、集塵部アース電極板にはアースが接続されて０Ｖとなっており、両者の間に作られた空間には電場が設けられている。
【０００６】
通風方向１０８に沿って空気は２段式電気集塵機に取り込まれ、その空気中に含まれる大気塵は帯電部１０１においてコロナ放電で発生した空気イオンと衝突して帯電する。帯電した大気塵は下流側にある集塵部１０４に送り込まれ、高圧電極板１０５と集塵部アース電極板１０６の間に作られた空間を通過する。そして空間に設けられた電場によってクーロン力を受け、移動する。図１０のように放電電極１０２および高圧電極板１０６にそれぞれ正極の高電圧が印加されている場合、大気塵は正に帯電し、正に帯電した大気塵は高圧電極板１０５から集塵部アース電極板１０６へと移動して集塵部アース電極板１０６に付着し、空気中から除去される。
【０００７】
（従来技術２）
また、別の集塵装置として、特許文献１に記載の空気清浄装置がある。以下、図１１を用いてこの空気清浄装置を説明する。図１１に記載の空気清浄装置は上流側から順に帯電部１０１、誘電濾材１０９で構成される。帯電部１０１は先の（従来技術１）に記載のものと同じで、通過した大気塵をコロナ放電によって帯電させる。誘電濾材１０９は誘電繊維１０９ａと導電繊維１０９ｂとを混紡してシート化されたものであり、また、アースに接続されている。そして高電圧が印加された放電電極１０２と導電繊維１０９ｂとの間に電場が設けられ、その電場の中に存在する誘電繊維１０９ａは誘電分極して電荷が誘起される。
【０００８】
通風方向１０８に沿って帯電部１０１を通過した空気中の大気塵は帯電し、帯電した大気塵は電場によって電荷が誘起された誘電繊維１０９ａによって吸着捕集される。
【０００９】
（従来技術３）
また、別の集塵装置として、特許文献２に記載のフィルタがある。以下、図１２を用いてこのフィルタを説明する。支持板１１１に無数の帯電繊維１１０が固定された帯電繊維集合体１１２が形成される。隣接する帯電繊維１１０どうしの間には帯電繊維が有する電荷によって電場が設けられている。そして通気性を有する段ボール状の中空スペーサー１１３と帯電繊維集合体１１２とを交互に４つずつ積層したものを仕切り板１１４で仕切りながらフィルタケース１１５に納めた構造となっている。
【００１０】
そして通風方向１０８に沿って空気はフィルタに取り込まれ、空気中の大気塵は帯電繊維１１０どうしの作る電場によって吸着捕集される。
【先行技術文献】
【特許文献】
【００１１】
【特許文献１】特開昭６２−８７２６２号公報（第１図）
【特許文献２】特表２００２−５０１４３３号公報（第１図）
【発明の概要】
【発明が解決しようとする課題】
【００１２】
従来技術１に記載の２段式電気集塵機は、集塵部を作るために多数の高圧電極板と集塵部アース電極板を一定の間隔を開けながら交互に積層しなくてはいけないため、構造が複雑で作るのが大変難しい。また、高圧電極板には高電圧が印加されるため、安全のために人が触れないようにしたり、また、集塵部アース電極板やケースフレームとの間で短絡が起きないようにしなくてはならず、簡単に作ることができない。
【００１３】
また、従来技術２に記載の空気清浄装置は誘電濾材に高電圧を印加する必要がなく比較的簡単に作れるが、シート状のため通風方向が濾材に対して垂直になり、捕集した大気塵は濾材の上に堆積して通風に必要な隙間を埋めてしまう。そのため目詰まりが早く起こってしまい、通風量が短期間で減ってしまう。
【００１４】
また、通風方向に対して垂直な平面状の電場が１面のみ作られた構造であるため、通風方向に奥行きのある電場がなく、高い集塵性能が得られない。
【００１５】
また、混紡するには短い誘電繊維と短い導電繊維を溶液中に混ぜて紙を漉くように作るのが現実的だが、短い導電繊維を用いて混紡すると導電繊維どうしを接触させて導通させることが難しく、誘電濾材をアースに接続して０Ｖにすることが容易にできない。
【００１６】
また、従来技術３記載のフィルタは帯電繊維どうしの電位差が明確でなく、帯電繊維どうしが作る電場が強くない。そのため高い集塵性能が得られない。また、大気塵を捕集していくうちに帯電繊維の帯電が落ちてしまい、集塵性能が徐々に下がってしまう。
【００１７】
そこで本発明は、上記従来の課題を解決するものであり、簡単かつ大量に作成でき、長期間において目詰まりせず、高い集塵性能を保つことが可能な電気集塵フィルタユニットの提供を目的とする。
【課題を解決するための手段】
【００１８】
上記課題を解決するために、本発明の電機集塵フィルタユニットは、上流側に空気をイオン化するイオン化手段と、下流側にフィルタ部とを備え、一様に混在する帯電繊維と導電繊維とを通風方向に対して綿状に積層して構成される綿状濾過体を、底部もしくは上部に格子状導電体を備えたフィルタケースに収め、導電繊維と格子状導電体とを接触導通させることでフィルタ部は構成され、格子状導電体を通じて導電繊維をアースに接続することにより初期の目的を達成するものである。
【発明の効果】
【００１９】
本発明の電機集塵フィルタユニットは、イオン化手段によって発生する空気イオンを付着させることで空気中の大気塵および帯電繊維を帯電させる。したがってアースに接続された導電繊維と帯電した帯電繊維との間に電場が常に作られる。そして一様に混在した帯電繊維と導電繊維とを通風方向に対して綿状に積層することで構成される綿状濾過体には通風方向に奥行きのある、長くて強い電場が作られる。帯電した大気塵は、この長くて強い電場の与えるクーロン力によって繊維に付着し、捕集される。そのため高い集塵性能を得ることができ、かつ高い集塵性能を常に維持することができる。
【００２０】
また、空気イオンの付着によって帯電繊維を帯電させる原理のため、帯電繊維に直接高電圧を印加する必要がなく、安全かつ簡単な構造とすることができる。
【００２１】
また、一様に混在した帯電繊維と導電繊維とを通風方向に対して綿状に積層することで構成される綿状濾過体は通風方向に無数の捕集面を有するような構造となり、無数の捕集面に大気塵を分散して捕集するため長期間目詰まりしない。
【図面の簡単な説明】
【００２２】
【図１】本発明の実施の形態１の自然給気口に電気集塵フィルタユニットを設置した部屋を示す図
【図２】同下流側に送風機を接続した電気集塵フィルタユニットを設置した部屋を示す図
【図３】同電気集塵フィルタユニットを示す構成図
【図４】同イオン化手段の構成図
【図５】同別の形態のイオン化手段の構成図
【図６】同フィルタ部の構成図
【図７】同串状導電体を示す構成図
【図８】同綿状濾過体を溶融紡糸ノズルで作成する製造方法を示す図
【図９】同帯電繊維と導電繊維とが作る電場を示す図
【図１０】従来技術１に記載の電気集塵機を示す構成図
【図１１】従来技術２に記載の空気清浄装置を示す構成図
【図１２】従来技術３に記載のフィルタを示す構成図
【発明を実施するための形態】
【００２３】
本発明の請求項１記載の電気集塵フィルタユニットは、上流側に空気をイオン化するイオン化手段と、下流側にフィルタ部とを備え、一様に混在する帯電繊維と導電繊維とを通風方向に対して綿状に積層して構成される綿状濾過体を、底部もしくは上部に格子状導電体を備えたフィルタケースに収め、導電繊維と格子状導電体とを接触導通させることでフィルタ部は構成され、格子状導電体を通じて導電繊維をアースに接続するものである。
【００２４】
これにより、イオン化手段によって発生する空気イオンが付着することで空気中の大気塵および帯電繊維は帯電する。したがってアースに接続された導電繊維と帯電した帯電繊維との間に電場が常に作られる。そして一様に混在した帯電繊維と導電繊維とを通風方向に対して綿状に積層することで構成される綿状濾過体には通風方向に奥行きのある、長くて強い電場が作られる。帯電した大気塵は、この長くて強い電場の与えるクーロン力によって繊維に付着し、捕集される。そのため高い集塵性能を得ることができ、かつ高い集塵性能を常に維持することができる。
【００２５】
また、空気イオンの付着によって帯電繊維を帯電させる原理のため、帯電繊維に直接高電圧を印加する必要がなく、安全かつ簡単な構造とすることができる。
【００２６】
また、一様に混在した帯電繊維と導電繊維とを通風方向に対して綿状に積層することで構成される綿状濾過体は通風方向に無数の捕集面を有するような構造となり、無数の捕集面に大気塵を分散して捕集するため長期間目詰まりしない。
【００２７】
また、請求項２記載の電気集塵フィルタユニットは、綿状濾過体に挿し込んだ串状導電体をアースに接続し、串状導電体を通じて導電繊維をアースに接続するものである。
【００２８】
これにより、導電繊維を確実にアースに接続することができ、高い集塵性能を確実に得ることができる。
【００２９】
また、請求項３記載の電気集塵フィルタユニットは、格子状導電体に向かって隣接した２つの溶融紡糸ノズルから帯電繊維と導電繊維をそれぞれ吹き出すことで作成した綿状濾過体を用いるものである。
【００３０】
２つの溶融紡糸ノズルが帯電繊維と導電繊維をそれぞれ吹き出す速度は大変速く、また、溶融紡糸ノズルから吹き出すだけの簡単な製法で綿状濾過体を作ることができるため、短時間で大量に作ることが可能である。
【００３１】
以下、本実施の形態について図面を参照しながら説明する。
【００３２】
（実施の形態１）
以下、本実施の形態について図面を参照しながら説明する。
【００３３】
本発明の電気集塵フィルタユニット１を部屋２の自然給気口３に設けた図を図１に示す。部屋の天井裏には部屋２の空気を室外に排出する換気扇４と、また、部屋２の壁には排出した分だけ外の空気を取り入れる自然給気口３が設置されている。電気集塵フィルタユニット１は自然給気口３の中に設けられており、室内に入ってくる空気中の大気塵を除去する機能を有している。そのため通風方向５に沿って自然給気口３から清浄な空気が部屋２の中に入り、部屋２の中は清浄な空気で満たされる。
【００３４】
次に、電気集塵フィルタユニット１の下流側に送風機６を設けた図を図２に示す。電気集塵フィルタユニット１の下流側には送風機６が設けられており、送風機６によって部屋２の空気は電気集塵フィルタユニット１に取り込まれる。通風方向５に沿って取り込まれた空気中の大気塵は電気集塵フィルタユニット１によって空気から除去され、大気塵が除去されて清浄になった空気は部屋２の中に戻される。部屋２の空気を取り込み、大気塵を除去して部屋２に戻すことを繰り返すことで部屋２の空気は清浄化される。
【００３５】
電気集塵フィルタユニット１の構造を図３に、電気集塵フィルタユニット１を構成するイオン化手段７を図４に、別の形態のイオン化手段７を図５に示す。図３に示すように電気集塵フィルタユニット１は上流側から順にイオン化手段７、フィルタ部８で構成される。空気は通風方向５に沿ってイオン化手段７、フィルタ部８の順に送り込まれる。
【００３６】
イオン化手段７はＸ線や紫外線を照射して空気分子を電離することで空気イオンを作るものもあるが、ここでは最も簡単な方法であるコロナ放電を用いたイオン化手段７について説明する。図４に示すイオン化手段７は線状の放電電極９とそれを挟むように設けられたアース電極板１０とで構成される。放電電極９には高圧電源１１によって高電圧が印加され、アース電極板１０にはアースが接続されて０Ｖとなっており、両者の間でコロナ放電が発生する。イオン化手段７を通過した大気塵１２はコロナ放電で発生した空気イオン１３と衝突して付着し、帯電する。ここで、イオン化手段７の寸法や印加する高電圧の極性などはコロナ放電が発生する条件であれば一切の限定はないが、一例として、２５ｍｍの間隔で設けられた２枚のアース電極板１０の中間位置に０．１ｍｍ径のタングステンワイヤーからなる放電電極９を設け、アース電極板１０をアースに接続し、放電電極９に＋６ｋＶの電圧を印加することで正のコロナ放電を発生させることができる。
【００３７】
また、図５に示す別の形態のイオン化手段について以下説明する。図５に示すイオン化手段７は針状の放電電極９の横に一定の間隔を開けてアース電極板１０を設けた構造となっている。そして放電電極９に高電圧を印加し、アース電極板１０をアースに接続して０Ｖとすることによってコロナ放電を発生させる。発生したコロナ放電によって空気イオン１３が作られ、空気イオン１３が大気塵１２と結合して大気塵１２は帯電する。一例として胴半径１ｍｍ、先端半径２０〜１００μｍの先端が鋭利な針状電極を放電電極９として用い、その１０ｍｍ横にアース電極板１０を設け、アース電極板１０をアースに接続し、放電電極９に−６ｋＶの電圧を印加することで負のコロナ放電を発生させることができる。
【００３８】
上記説明のように、イオン化手段７によって空気中に空気イオン１３が発生し、かつ空気中の大気塵１２は帯電する。そして空気イオン１３および帯電した大気塵１２を含む空気が下流側にあるフィルタ部８に送り込まれる。
【００３９】
ここで、フィルタ部８の構成を図６に、串状導電体１９を図７に、溶融紡糸ノズルを用いた綿状濾過体１６の製造方法の一例を図８に示す。図６に示すとおり、綿状濾過体１６は一様に混在する帯電繊維１７と導電繊維１８とを通風方向５に対して綿状に積層することで構成され、フィルタ部８は底部もしくは上部に格子状導電体１５を備えたフィルタケース１４に綿状濾過体１６を収めると同時に導電繊維１８と格子状導電体１５とを接触導通させた構造となっている。そして格子状導電体１５をアースに接続することで導電繊維をアースに接続している。
【００４０】
また、図７に示すように串状導電体１９は先端を尖らせて綿状濾過体１６に突き刺しやすくした複数の棒状導電体２０を土台２１によって一体化させたものである。土台２１は導電性を有するため、棒状導電体２０どうしは導通している。図６に示すフィルタ部８は串状導電体１９を綿状濾過体１６に突き刺して導電繊維１８と接触させた後、格子状導電体１５と同様に串状導電体１９をアースに接続している。こうすることで導電繊維１８とアースとの接続を確実にして、確実に高い集塵性能が得られるようにしている。
【００４１】
帯電繊維１７と導電繊維１８とを通風方向５に対して綿状に積層して構成される綿状濾過体１６は、図８に示すように２つの溶融紡糸ノズルからそれぞれ帯電繊維１７と導電繊維１８を吹き出すことで作ることができる。具体的には溶融紡糸ノズルＡ２２から帯電繊維１７を、溶融紡糸ノズルＢ２３から導電繊維１８を格子状導電体１５に向かってフィルタケース１４の中に吹き出す。溶融紡糸ノズルＡ２２および溶融紡糸ノズルＢ２３は中央の樹脂押出し孔２４から加熱溶融させた樹脂を押し出すと同時に左右に設けた高温圧縮空気孔２５から高温圧縮空気を高速で吹き出す。樹脂押出し孔２４から押し出された溶融樹脂は左右から高速で吹き出される高温圧縮空気によって細分化され、繊維状になる。このようにして帯電繊維１７および導電繊維１８は作られる。
【００４２】
使用可能な材料の一例としては、帯電繊維１７はポリプロピレン樹脂やポリエステル樹脂を加熱溶融して溶融紡糸ノズルＡ２２から吹き出すことで得られ、その繊維径はおよそ１〜１００μｍである。導電繊維１８は導電性を有するカーボンブラックを一様に含んだポリプロピレン樹脂やポリエステル樹脂を加熱溶融して溶融紡糸ノズルＢ２３から吹き出すことで得られ、その繊維径は帯電繊維と同じくおよそ１〜１００μｍである。
【００４３】
そして矢印の示す移動方向２６の示す方へとフィルタケース１４を前後左右に動かすことで、フィルタケース１４の中に帯電繊維１７と導電繊維１８とを水平面に対して一様に混在させることができる。そして混在した帯電繊維１７と導電繊維１８を図８における上方向、すなわち通風方向に積層することができる。２つの溶融紡糸ノズルからは帯電繊維１７および導電繊維１８が高速で大量に吹き出されるため、綿状濾過体１６は極めて短時間で作成される。そのため大量に生産することが可能である。
【００４４】
このようにして構成されたフィルタ部８に空気イオン１３および帯電した大気塵１２を含む空気が送り込まれる。帯電繊維１７は電荷を有する物体が付着することで帯電する性質を有する。そのため図７に示すように次から次へとやってくる空気イオン１３が付着して空気イオン１３の有する電荷が帯電繊維１７に与えられる。帯電繊維１７は絶縁性であるため、導電性を有する導電繊維１８や格子状導電体１５、串状導電体１９と接触していても電荷はなくならない。また、たとえ電荷がなくなっても上流側から常時やってくる空気イオン１３によって常に帯電した状態を保つ。
【００４５】
ここで、フィルタ部８を構成する帯電繊維１７と導電繊維１８とが作る電場を図９に示す。帯電繊維１７は常に帯電してその表面に電荷を有した状態であるため、図９に示すようにアースに接続されている導電繊維１８には帯電繊維１７と逆極性の電荷がアースから誘電されて現れるため、両者の間に矢印で示すような電場が作られる。帯電繊維１７と導電繊維１８の間には一部が接触しながら微小な隙間が設けられている。隙間が微小であるため両者が作る電場は強い。また、一様に混在した帯電繊維１７と導電繊維１８とが通風方向５に対して綿状に積層されているため、この強い電場が通風方向５に長く奥行きのある領域全てで作られている。帯電した大気塵１２は電場の与えるクーロン力によって帯電繊維１７もしくは導電繊維１８に付着捕集されるが、このように強くて長い電場を作ることによって集塵性能を大きく高めている。
【産業上の利用可能性】
【００４６】
本発明にかかる電気集塵フィルタユニットは、簡単に作成でき、長期間において高い清浄度を有する清浄空気が目詰まりなく得られるため、空気清浄をしながら室外空気を室内に取り入れる換気装置や室内空気を循環的に取り込んできれいにする空気清浄装置の集塵デバイスとして有用である。
【符号の説明】
【００４７】
１  電気集塵フィルタユニット
２  部屋
３  自然給気口
４  換気扇
５  通風方向
６  送風機
７  イオン化手段
８  フィルタ部
９  放電電極
１０  アース電極板
１１  高圧電源
１２  大気塵
１３  空気イオン
１４  フィルタケース
１５  格子状導電体
１６  綿状濾過体
１７  帯電繊維
１８  導電繊維
１９  串状導電体
２０  棒状導電体
２１  土台
２２  溶融紡糸ノズルＡ
２３  溶融紡糸ノズルＢ
２４  樹脂押出し孔
２５  高温圧縮空気孔
２６  移動方向
【図１】
2015089535.tif 000003
【図２】
2015089535.tif 000004
【図３】
2015089535.tif 000005
【図４】
2015089535.tif 000006
【図５】
2015089535.tif 000007
【図６】
2015089535.tif 000008
【図７】
2015089535.tif 000009
【図８】
2015089535.tif 000010
【図９】
2015089535.tif 000011
【図１０】
2015089535.tif 000012
【図１１】
2015089535.tif 000013
【図１２】
2015089535.tif 000014